(57)【要約】【課題】調整ネジによってバイメタルと掛合片との間の距離を調整することによって電路が遮断されるまでの時間を調整する際に、調整ネジの回転距離を確認できないためにバイメタルと掛合片との間の距離にばらつきが出ることとなり、過電流が流れた際に電路を遮断するまでの時間にばらつきが出ることを防ぎ、作業性の低下を防ぐ過電流引外し調整機構を少ない加工数で提供する。【解決手段】回路遮断器のケース内部に設けられる過電流引外し機構であって、過電流引外し機構はケース外面に設けられると共に周縁にゲージ部を設けた調整窓と、調整窓から視認可能に配置されると共にマーク部を設けた調整ネジと、調整ネジが螺合するネジ孔が貫通して設けられた取付ナットと、取付ナットを貫通した調整ネジによって位置を調整されるバイメタルと、バイメタルによって押圧駆動する掛合片とからなる。【選択図】図２
2009283379.tif 000002
【特許請求の範囲】
【請求項１】
回路遮断器のケース内部に設けられる過電流引外し機構であって、該過電流引外し機構は前記ケース外面に設けられると共に周縁にゲージ部を設けた調整窓と、該調整窓から視認可能に配置されると共にマーク部を設けた調整ネジと、該調整ネジが螺合するネジ孔が貫通して設けられた取付ナットと、該取付ナットを貫通した前記調整ネジによって位置を調整されるバイメタルと、該バイメタルによって押圧駆動する掛合片とからなることを特徴とする過電流引外し調整機構。
【発明の詳細な説明】
【技術分野】
【０００１】
本発明は、回路遮断器における過電流引外し調整機構に関するものである。
【背景技術】
【０００２】
従来、回路遮断器に設けられる過電流引外し調整機構には特許文献２に記載されているような、バイメタル３７と掛合片３８との相対的な位置関係を変化させる調整ネジ３５と、調整ネジ３５が螺合するネジ孔が貫設された取付ナット３６とをケース３１内部に収納し、調整ネジ３５の進退方向と平行なケース３１の側面に、取付ナット３６の両側面からそれぞれ突出する調整ネジ３５の両側部位を視認可能な大きさの接着剤注入用孔を設けた回路遮断器があった。
【特許文献１】特開２００８−３４３１３
【発明の開示】
【発明が解決しようとする課題】
【０００３】
しかしながら、特許文献１に記載の発明では、バイメタルと掛合片との相対的な位置関係を変化させる調整ネジにおいて、調整を行う際に調整ネジを回転させた後の調整位置の確認を個人の感覚に頼り、統一された確認ができないという欠点があった。これにより、バイメタルと掛合片との間の距離にばらつきが出ることとなり、過電流が流れた際に電路を遮断するまでの時間にばらつきが出るという欠点がある。
【０００４】
又、調整を行う際に調整ネジを回転させた後の調整位置の確認が難しいため、調整に必要な回転させる距離を知ることが難しく、作業性が低下する恐れがあるという欠点があった。
【０００５】
このため、本発明によって解決しようとする課題は、調整ネジによってバイメタルと掛合片との間の距離を調整することによって電路が遮断されるまでの時間を調整する際に、調整ネジの回転距離を確認できないためにバイメタルと掛合片との間の距離にばらつきが出ることとなり、過電流が流れた際に電路を遮断するまでの時間にばらつきが出ることを防ぎ、作業性の低下を防ぐ過電流引外し調整機構を少ない加工数で提供することにある。
【課題を解決するための手段】
【０００６】
上記した課題を解決するためになされた本発明の過電流引外し機構は、回路遮断器のケース内部に設けられる過電流引外し機構であって、過電流引外し機構はケース外面に設けられると共に周縁にゲージ部を設けた調整窓と、調整窓から視認可能に配置されると共にマーク部を設けた調整ネジと、調整ネジが螺合するネジ孔が貫通して設けられた取付ナットと、取付ナットを貫通した調整ネジによって位置を調整されるバイメタルと、バイメタルによって押圧駆動する掛合片とからなる。
【発明の効果】
【０００７】
本発明の過電流引外し機構によれば、ケース外面の調整窓周縁に設けたゲージ部と調整ネジに設けたマーク部とによって、調整ネジを回転させた距離の確認が可能であるため、試験後に再度調整が必要になった際でも初期位置との比較が可能であるため作業を効率良く行うことが可能である。
【０００８】
又、ケース外面の調整窓周縁に設けたゲージ部と調整ネジに設けたマーク部とによって、調整ネジを回転させた距離の確認が可能であるため、この回転させた距離を把握しておくことにより過電流が流れた際に電路を遮断するまでの時間にばらつきが出る恐れを少なくすることが可能である。
【発明を実施するための最良の形態】
【０００９】
本発明では、調整ネジの調整位置を視認可能にすることで電路を遮断するまでの時間にばらつきが出る恐れを少なくする構造を少ない加工数で可能にした。
【実施例１】
【００１０】
以下、本発明の実施の形態を説明する。
回路遮断器のケース１、１１内部に設けられる過電流引外し機構であって、過電流引外し機構はケース１、１１外面に設けられると共に周縁にゲージ部１２を設けた調整窓３、１３と、調整窓３、１３から視認可能に配置されると共にマーク部４、１４、２４を設けた調整ネジ５、１５、２５と、調整ネジ５、１５、２５が螺合するネジ孔が貫通して設けられた取付ナット６、１６と、取付ナット６、１６を貫通した調整ネジ５、１５、２５によって位置を調整されるバイメタル７、１７、２７と、バイメタル７、１７、２７によって押圧駆動する掛合片８、１８、２８とからなる。調整窓３、１３の周縁には円周に沿って一定の間隔でゲージ部１２を設け、調整ネジ５、１５、２５には調整窓３、１３から視認できる側の円周上にマーク部４、１４、２４を設ける。これにより、調整ネジ５、１５、２５を回転させた距離の確認が可能であるため、試験後に再度調整が必要になった際でも初期位置との比較が可能となり、作業を効率良く行うことが可能である。又、調整ネジ５、１５、２５を回転させた距離の確認が可能であるため、この回転させた距離を把握しておくことにより過電流が流れた際に電路を遮断するまでの時間にばらつきが出る恐れを少なくすることが可能である。
【００１１】
以上のように、本発明の過電流引外し調整機構は、調整窓の周縁に設けたゲージ部と調整ネジに設けたマーク部とから、掛合片とバイメタルとの間の距離の調整時において調整ネジの回転した距離が視認可能となるため、調整作業の効率化を図ることが可能となり、過電流が流れた際に電路を遮断するまでの時間にばらつきが出る恐れを少なくすることが可能となるものである。
【図面の簡単な説明】
【００１２】
【図１】本発明の実施例１における、過電流引外し調整機構の側面断面図である。
【図２】本発明の実施例１における、過電流引外し調整機構の図１のＡから見た部分拡大図である。
【図３】本発明の実施例１における、調整ネジの斜視図である。
【図４】従来技術における、特許文献１に記載の過電流引外し調整機構の断面図である。
【符号の説明】
【００１３】
１、１１、３１    ケース
１２    ゲージ部
３、１３    調整窓
４、１４、２４    マーク部
５、１５、２５、３５    調整ネジ
６、１６、３６    取付ナット
７、１７、３７    バイメタル
８、１８、３８    掛合片
【図１】
2009283379.tif 000003
【図２】
2009283379.tif 000004
【図３】
2009283379.tif 000005
【図４】
2009283379.tif 000006